(57)【要約】【課題】  短絡片を取外した状態であっても、試験用端子台からの脱落を防止できる試験用端子台の端子カバーの提供。【解決手段】  試験用端子台３の上下一対の端子３０，３０を覆った端子カバー３２に対し、該端子カバー３２の端子カバー本体３３に形成された開口部３３３から、係止具３４を一対のうちの上側の端子３０に向かって挿通させ、係止具３４の係止部３４１を上側の端子３０に係止させた状態において、前記開口部３３３と係止具３４の挿通部３４０とを前後方向で係止させる。【選択図】  図２
2019134556.tif 000002
【特許請求の範囲】
【請求項１】
電気盤の縦板から突出させて設けられ、着脱自在な短絡片によって接続される一対の端子を備える試験用端子台に対し、該試験用端子台を覆うよう着脱自在に取付けられる端子カバーであって、
前記試験用端子台を覆う壁面には開口部が形成され、前記一対の端子のうち少なくとも一つに係止可能な係止部および前記開口部に挿通可能な挿通部を備えた係止具の、前記係止部が前記端子に係止するよう前記挿通部を、前記開口部に挿通させた状態において、前記開口部と前記挿通部とが前後方向で係止することを特徴とする試験用端子台の端子カバー。
【請求項２】
前記係止具の係止部は、前記端子の表面に形成された雄ねじに係止する請求項１に記載の試験用端子台の端子カバー。
【請求項３】
前記壁面の外部に、前記試験用端子台に対する操作を禁止する表示を施した表示部を備えるか、前記挿通部に前記試験用端子台に対する操作を禁止する表示を施した表示部を備えた前記係止具が用いられる請求項１または請求項２に記載の試験用端子台の端子カバー。
【請求項４】
前記係止具に施された前記表示部は、前記挿通部に着脱可能に取付けられるか、あるいは前記挿通部に回動軸を介して起臥可能に取付けられている請求項３に記載の試験用端子台の端子カバー。
【請求項５】
前記壁面の外部に施された前記表示部は、前記壁面の外部に着脱可能に取付けられるか、あるいは該壁面に回動軸を介して起臥可能に取付けられている請求項３に記載の試験用端子台の端子カバー。
【発明の詳細な説明】
【技術分野】
【０００１】
本発明は、試験用端子台の端子を覆う端子カバーに関する。
【背景技術】
【０００２】
特許文献１に記載のように、一般に変電所には、電力系統を事故から保護するための電気盤１（図８参照）が設置されている。保護継電器２は、遮断器（開閉器）にトリップ信号を出力して送電を停止させる機能を有しており、電気盤１には、保護継電器２の動作試験の際に遮断器に送られるトリップ信号をロックするための試験用端子台（以下、単に端子台と称する）５が設けられている。
【０００３】
端子台５は、電気盤１の縦板１ａに配置された一対の端子５０，５０と、図９および図１０に示すように、端子５０，５０どうしを電気的に接続する短絡片５１とを備える。短絡片５１は、端子５０，５０に取付け取外しする際に作業者が摘持する摘持部５１０を備える。このような端子台５は、縦板１ａに、縦方向および横方向に並べられて複数配置されている（図８参照）。
【０００４】
端子台５には、作業者等に対する安全確保のために、端子カバー５２が着脱自在に装着される。短絡片５１の摘持部５１０の幅寸法Ｈは、端子カバー５２の両側内面間の距離ｈに略等しく設定されている。この構成により、端子カバー５２を端子台５に装着した際には、摘持部５１０の両側面と、端子カバー５２の両側内面とが当接することで、端子カバー５２が短絡片５１に保持された状態となる。
【０００５】
また、図１１に示すように、電気盤１は、電力系統を短絡や地絡事故等から保護する保護回路１０を備える。保護回路１０は、前記保護継電器２と遮断器４とを備える。保護継電器２は、一対の端子５０，５０のうちの一方の端子５０に接続され、遮断器４は他方の端子５０に接続されている。
【０００６】
この構成によれば、電力系統の事故発生時に保護継電器２が事故を検知すると、遮断器４へトリップ信号が出力され、このトリップ信号により遮断器４が開動作されて、送電を停止させることができる。
【先行技術文献】
【特許文献】
【０００７】
【特許文献１】特開２０１５−４３６６１号公報
【発明の概要】
【発明が解決しようとする課題】
【０００８】
この種の電気盤１では、端子５０，５０に試験装置（図示せず）を接続して、保護継電器２の動作を試験することが、定期的に行われる。保護継電器２の試験にあたって作業者は、端子台５を、短絡片５１を接続した状態としたままにする非試験対象グループと、短絡片５１を取外した試験対象グループとに分ける。
【０００９】
保護継電器２の試験時には、系統（送電線路等）の停電ができない場合、端子台５の端子５０，５０から、摘持部５１０を摘持して短絡片５１を取外す。このようにすると、試験対象となる保護継電器２と遮断器４との接続が遮られて、遮断器４へトリップ信号は出力されない。このため、保護継電器２の試験が可能になる。
【００１０】
また、試験対象グループの端子台５のうち、保護継電器２の試験をする端子台５では短絡片５１を取外した後、端子カバー５２を取付ける。
【００１１】
ところで、上記したように、短絡片５１の摘持部５１０の幅寸法Ｈは、端子カバー５２の両側内面間の距離ｈと略等しく設定されており、端子カバー５２を端子台５に装着した際には、摘持部５１０の両側面と、端子カバー５２の両側内面とが当接することで、端子カバー５２が短絡片５１に保持される。このため、試験対象グループにおいて、短絡片５１を取外した後に、他の端子台５に端子カバー５２を装着した場合には、端子カバー５２を保持する部分がない。そうなると、端子カバー５２が端子台５から脱落し易くなり、端子カバー５２が脱落すると端子５０，５０が露出するから、作業者に対する安全を確保できない。
【００１２】
そこで本発明は、短絡片を取外した状態であっても、試験用端子台から脱落を防止できる試験用端子台の端子カバーの提供を目的とする。
【課題を解決するための手段】
【００１３】
本発明は、電気盤の縦板から突出させて設けられ、着脱自在な短絡片によって接続される一対の端子を備える試験用端子台に対し、該試験用端子台を覆うよう着脱自在に取付けられる端子カバーであって、前記試験用端子台を覆う壁面には開口部が形成され、前記一対の端子のうち少なくとも一つに係止可能な係止部および前記開口部に挿通可能な挿通部を備えた係止具の、前記係止部が前記端子に係止するよう前記挿通部を、前記開口部に挿通させた状態において、前記開口部と前記挿通部とが前後方向で係止することを特徴としている。
【００１４】
上記構成を備えた本発明の試験用端子台の端子カバーでは、係止具を端子カバーの壁面に形成された開口部から挿通して、係止部を少なくとも一つの端子に係止させることで係止具が端子に保持され、壁面に形成された開口部と係止具の挿通部とが前後方向で係止することで、短絡片が端子から取外されていても、端子カバーおよび係止具が試験用端子台から脱落しない。
【００１５】
本発明の試験用端子台の端子カバーにおいて、前記係止具の係止部は、前記端子の表面に形成された雄ねじに係止する構成を採用できる。
【００１６】
上記構成の試験用端子台の端子カバーでは、係止具の係止部が端子の表面の雄ねじに係止することで、その分だけ強い係止力が得られるから、端子カバー本体の脱落の防止が確実になる。
【００１７】
本発明の試験用端子台の端子カバーでは、前記壁面の外部に、前記試験用端子台に対する操作を禁止する表示を施した表示部を備えるか、前記挿通部に前記試験用端子台に対する操作を禁止する表示を施した表示部を備えた前記係止具が用いられる。
【００１８】
上記構成を備えた試験用端子台の端子カバーは、端子台に装着した状態で端子カバーに施された表示部の表示が目視されるか、あるいは係止具に施された表示部の表示が目視されるかにより、保護継電器の動作試験中の試験用端子台に対する操作、すなわち試験用端子台の端子に試験装置や電圧計等を着脱する操作を禁止するために、端子カバーを端子台から外してはならないことが明確にされる。
【００１９】
本発明の試験用端子台の端子カバーでは、前記係止具に施された前記表示部は、前記挿通部に着脱可能に取付けられるか、あるいは前記挿通部に回動軸を介して起臥可能に取付けられている構成を採用できる。
【００２０】
上記構成において、挿通部に表示部が装着されていることで、あるいは回動軸を介して表示部を起こすことで、試験用端子台に対する操作を禁止するために、端子カバーを端子台から外してはならないことが明確にされる。
【００２１】
本発明の試験用端子台の端子カバーでは、前記壁面の外部に施された前記表示部は、前記壁面の外部に着脱可能に取付けられるか、あるいは該壁面に回動軸を介して起臥可能に取付けられている構成を採用できる。
【００２２】
上記構成を備えた試験用端子台の端子カバーでは、壁面の外部に表示部が装着されていることで、あるいは回動軸を介して表示部を起こすことで、試験用端子台に対する操作を禁止するために、端子カバーを試験用端子台から外してはならないことが明確にされる。
【発明の効果】
【００２３】
本発明の試験用端子台の端子カバーによれば、短絡片が取外された状態であっても、試験用端子台からの脱落を防止できる。
【図面の簡単な説明】
【００２４】
【図１】図１（ａ），（ｂ）は、本実施形態に係る試験用端子台の端子カバーの使用状態を示す正面図。
【図２】図２は、図１の試験用端子台の側断面図。
【図３】図３は、端子カバー本体の開口部から係止具を挿通する斜視図。
【図４】図４は、本発明の他の実施形態を示し、端子カバー本体の側面下部の開口部から係止具を挿通する正面図。
【図５】図５は、本発明の他の実施形態を示し、係止具に表示部を着脱可能に取付けた状態を示す正面図。
【図６】図６は、本発明の他の実施形態を示し、係止具に表示部を吊下げた状態を示す正面図。
【図７】図７は、本発明の他の実施形態を示し、端子カバー本体の壁面の外部に回動軸を介して表示部を起臥可能に取付けた状態を示す斜視図。
【図８】図８は、本発明の実施形態と従来の説明に兼用される電気盤を示す正面図。
【図９】図９は、従来の試験用端子台を示す正面図。
【図１０】図１０は、従来の試験用端子台を示す側断面図。
【図１１】図１１は、本発明の実施形態と従来の説明に兼用される保護回路を示す図。
【発明を実施するための形態】
【００２５】
以下、本発明の一実施形態に係る試験用端子台の端子カバーを、図１ないし図８、図１１を参照しつつ説明する。図８に示すように、本実施形態に係る試験用端子台の端子カバーは、電気盤１に備えられた試験用端子台（以下単に「端子台」と称する）３に使用される。説明の便宜上、はじめに電気盤１について説明する。
【００２６】
電気盤１は、変電所に設置され、電力系統を事故から保護する機能を有する。図８（本実施形態と従来の説明に兼用）に示すように、電気盤１は、縦板１ａと、複数の保護継電器２と、保護継電器２の動作を試験するための複数の端子台３と、図１１（本実施形態と従来の説明に兼用）に示す保護回路１０とを備える。縦板１ａは、電気盤１の前面に配置される。
【００２７】
図８に戻って、保護継電器２は縦板１ａの上部に、上下方向に並べて配置されている。保護継電器２は、遮断器（開閉器）にトリップ信号を出力して送電を停止させる機能を有する。保護回路１０は、電力系統（送電線路等）を短絡や地絡事故等から保護すべく、保護継電器２からのトリップ信号が端子台３を介し遮断器４（外部に設置）へ出力される。端子台３は、保護継電器２の下側に並べて配置されている。具体的に端子台３は、縦板１ａに上下方向、且つ左右方向に並べて配置されている。
【００２８】
図１（ａ）および図２に示すように、一個の端子台３は、上側に配置された第一端子台３Ａと、第一端子台３Ａの下側に配置された第二端子台３Ｂと、端子３０，３０間に接続された短絡片３１とを備える。本実施形態では、第一端子台３Ａと第二端子台３Ｂとで対とされた端子台３が、縦板１ａに複数設けられている。なお、図１（ａ），（ｂ）では、便宜上複数の端子台３のうち３個のみを図示し、第一端子台３Ａの端子３０の後端部には、前記保護継電器２が接続され、第二端子台３Ｂの端子３０の後端部には、遮断器４が接続されている（図示せず）。
【００２９】
第一端子台３Ａおよび第二端子台３Ｂは、それぞれ前記端子３０を備え、端子３０は、遮断器４に対する保護継電器２の接続・切離し時の短絡片３１の着脱作業と、保護継電器２の試験時の試験装置や電圧計等の着脱作業とが効率よく行えるよう、電気盤１の縦板１ａから前方に向けて突出させるよう配置されている。
【００３０】
第一端子台３Ａおよび第二端子台３Ｂの構成は同様であるので、以下の説明では第一端子台３Ａの説明をもって第二端子台３Ｂの説明に兼用する。すなわち、第一端子台３Ａは、一個の端子３０と、端子３０を縦板１ａに支持する支持部３００とを備える。端子３０は、支持部３００に挿通されて縦板１ａに対し前方および後方に延出されている。端子３０は、導電性部材により軸状に形成され、可動側接触体３０６の移動範囲とされる部位の表面、およびナットの螺合部位の表面に形成された雄ねじ３０２を有する。
【００３１】
支持部３００は、電気盤１の縦板１ａに前後に貫通して取付けられた台座である。台座３００は、絶縁性の素材から円柱状に形成され、端子３０は、台座３００の中心を軸方向に沿って挿通されて、台座３００を介して縦板１ａに支持されている。台座３００の前端部の中心部には、導通部材からなる環状の固定側接触体３０４が、一部を台座３００の前端部の中央から露出するよう設けられている。固定側接触体３０４の内周面は、端子３０に接触して、端子３０と電気的に接続されている。
【００３２】
第一端子台３Ａは、締結部材３０３、キャップ３０５をさらに備える。締結部材３０３は、雌ねじ部材（ナット）であり、端子３０の雄ねじ３０２に螺合して、端子３０回りの回転により、台座３００に対し接近離間可能である。締結部材３０３の中心部には、導通部材からなる環状の可動側接触体３０６が、一部を台座３００の前端部と対向する面の中央から露出するよう設けられている。可動側接触体３０６の内周面は、端子３０に接触して端子３０と電気的に接続されている。
【００３３】
キャップ３０５は、端子３０の前端部に固着されている。キャップ３０５は、端子３０の前端部の保護と、締結部材３０３の、端子３０からの抜け止めの機能を兼ねた部材である。キャップ３０５と台座３００とは、端子３０に対し短絡片３１（その係止部３１１）を着脱できるよう締結部材３０３を締緩可能に、離間して配置されている。各端子台３は、以上の構成を備えた第一端子台３Ａおよび第二端子台３Ｂを上下方向に対で有する。
【００３４】
短絡片３１は、導電性部材から板状に形成された短絡片本体３１ａと、第一端子台３Ａおよび第二端子台３Ｂの各端子３０に係止する係止部３１１，３１１とを備えている。係止部３１１，３１１は、短絡片本体３１ａの長手方向両端部に形成されている。また、短絡片３１は、短絡片本体３１ａの長手方向中央部の外周面に固着された、絶縁部材からなる角環状の摘持部３１０を備える。
【００３５】
電気盤１は、端子台３に着脱自在に装着される前記端子カバー３２を、さらに備える。端子カバー３２は、端子カバー本体３３と、係止具３４とを備えている。端子カバー本体３３は、絶縁性部材で箱状に形成されている。端子カバー本体３３は、図２および図３に示すように、長楕円状の前壁３３０と、前壁３３０の周縁部から後方向けて延出された環状の周壁３３１とを備える。周壁３３１は壁面に相当し、周壁３３１の周縁部によって画定された後面は、後面開口３３２とされている。
【００３６】
周壁３３１の上部および下部は円弧状壁３３１ａとされ、周壁３３１の左右両側は上下方向に沿う平板状壁３３１ｂとされている。上部の円弧状壁３３１ａには、後に詳述する係止具３４を、端子カバー本体３３内に挿通させるための開口部３３３が、円弧状壁３３１ａに沿って形成されている。この開口部３３３は、係止具３４の係止部３４１を挿脱可能な大きさに形成され、円弧状壁３３１ａの前後方向途中部分に配置されている。
【００３７】
図１に示すように、周壁３３１の平板状壁３３１ｂにおける内面間の離間寸法Ｈと、短絡片３１の摘持部３１０の両側面の離間寸法ｈとは、略等しく設定されている。なお、周壁３３１の上下の円弧状壁３３１ａにおける内面間の距離は、第一端子台３Ａのキャップ３０５の上端と、第二端子台３Ｂのキャップ３０５の下端との間の距離に比べてわずかに大きく設定されている。この構成により、端子カバー３２を端子台３に装着した際には、摘持部３１０の両側面と、端子カバー３２の両側内面とが当接することで、端子カバー３２が端子台３のうち、縦板１ａの前側の部分で保持される。
【００３８】
図３に示すように、係止具３４は、保持部３４ａと表示部３５とを備える。保持部３４ａは、矩形板状に形成された挿通部３４０と、挿通部３４０の先端部に形成されて端子３０に係止可能な板状の係止部３４１とを備える。係止具３４は絶縁性部材から形成され、一定の厚みに形成されている。この厚みは、固定側接触体３０４、可動側接触体３０６間の距離に合わせて設定されている。
【００３９】
図１に示すように、挿通部３４０の幅寸法は、端子３０の直径よりも大きく設定されている。係止部３４１は略Ｕ字形状に形成された係止部本体３４１ａを備える。係止部本体３４１ａの輪郭は略円形状で、係止部本体３４１ａは、径方向内方に向かって形成された上下方向に沿う切欠き３４２を有する。切欠き３４２の内面は、端子３０の雄ねじ３０２に係止する面である。したがって、切欠き３４２の幅は、端子３０の径と同等に設定されている。
【００４０】
図３に示すように、表示部３５は、横長の板状の表示部本体３５０と、表示部本体３５０の下面の両側部から延出された一対の支持部３６，３６と、一対の支持部３６，３６間に形成された凹部３７とを備える。表示部本体３５０には、その両面に端子台３に対する操作禁止の表示が施されている。すなわち端子台３の端子３０に対する試験装置や電圧計等の着脱作業に関わる操作を禁止する表示が施されている。本実施形態では、表示部本体３５０に「操作禁止」の文字が横方向に表示されている。
【００４１】
図２および図３に示すように、凹部３７には、係止具３４の挿通部３４０の端部が挿入される。係止具３４の挿通部３４０の端部の両側には、一対の回動軸３８，３８が突設されている。一方の回動軸３８は、表示部本体３５０の一方の支持部３６を貫通されている。他方の回動軸３８は、表示部本体３５０の他方の支持部３６を貫通されている。この構成により、表示部本体３５０は、挿通部３４０に回動可能に支持されている。なお、切欠き３４２の最奥部から回動軸３８までの距離は、端子３０の外周面上端から台座３００の外周面上端までの距離に比べて大きく設定されている。
【００４２】
つぎに、本実施形態に係る端子カバー３２の使用方法について説明する。なお、本実施形態の電気盤１としては、例えば送電線リレー盤を対象とする。図１（ａ）に示すように、電気盤１の通常の管理状態では、端子カバー本体３３は、開口部３３３を下側にし、縦板1ａの前側において、端子台３に取付けられている。すなわち、端子カバー本体３３の周壁３３１の平板状壁３３１ｂにおける内面間の離間寸法Ｈと、短絡片３１の摘持部３１０の両側面の離間寸法ｈとは略等しく設定され、周壁３３１の上下の円弧状壁３３１ａにおける内面間の距離は、第一端子台３Ａのキャップ３０５の上端と、第二端子台３Ｂのキャップ３０５の下端との間の距離に比べてわずかに大きく設定されている。この寸法関係から、端子カバー本体３３は端子台３に保持される。
【００４３】
端子台３における端子３０，３０が端子カバー本体３３によって覆われていることで、作業者に対する安全性が確保され、また端子３０，３０が保護される。なお、端子カバー３２は、開口部３３３を下側にして、端子台３に取付けられていることで、塵芥等が端子台３に付着しにくい。
【００４４】
ところで、電気盤１の保護継電器２は、保護継電器２のトリップ信号の出力を確認するため端子台３の上側端子３０に試験装置や電圧計等を接続して、定期的に検査される。本実施形態では、保護継電器２の試験にあたって送電線路は運転中であり、試験時の作業は、運転中の機器に影響する操作を行う運転側操作者と、停電範囲内の機器の操作を行う実作業者とで行われる。
【００４５】
まず、実作業者は、運転側操作者に対し遮断器４をトリップさせる端子台３のロックを要請する。すなわち運転側操作者は、端子台３を覆う端子カバー３２を取り外し、端子台３に接続された短絡片３１を取り外す。具体的に、運転側操作者は、複数の端子台３（例えば、上側に並べられた三個の端子台３）において、それら端子台３を覆っている端子カバー本体３３を、前方に向けて引くようにして取外す。
【００４６】
続いて、端子カバー本体３３を取外した各端子台３において、運転側操作者は、摘持部３１０を摘持して端子３０，３０から短絡片３１を取外す。この場合、運転側操作者が締結部材３０３を緩めることで、短絡片３１の係止部３１１，３１１を固定側接触体３０４および可動側接触体３０６が挟持した状態を解除させて、短絡片３１を容易に取外すことができる。短絡片３１を端子３０，３０から取外せば、試験対象となる保護継電器２に対する遮断器４の接続が遮られて、遮断器４へトリップ信号は出力されなくなり、保護継電器２の試験が可能な状態となる。
【００４７】
つぎに、図１（ｂ）に示すように、運転側操作者は、短絡片３１を取外した端子台３に端子カバー本体３３の開口部３３３を上にして端子カバー本体３３で覆った後に、係止具３４を用いて、端子カバー本体３３を端子台３に保持させる。すなわち、図２および図３に示すように、運転側操作者は、係止具３４の保持部３４ａを端子カバー本体３３の開口部３３３から挿入し、保持部３４ａにおける係止部３４１を、その切欠き３４２が第一端子台３Ａの端子３０に係止（外嵌）するよう、台座３００と締結部材３０３との間の隙間に向かって押し込む。このようにすることで、係止部３４１が固定側接触体３０４と可動側接触体３０６との間に入り込んだ状態で、切欠き３４２が第一端子台３Ａの端子３０の雄ねじ３０２に係止する。
【００４８】
また、切欠き３４２の最奥部から回動軸３８までの距離は、端子３０の外周面上端から台座３００の外周面上端までの距離に比べて大きく設定されている。このことから、切欠き３４２を第一端子台３Ａの端子３０の雄ねじ３０２に係止させると、係止具３４の挿通部３４０は、開口部３３３を挿通して開口部３３３から端子カバー本体３３の外部へ突出した状態となる。また、係止具３４の挿通部３４０の一部が端子カバー本体３３の外部へ突出することで、表示部３５もまた、端子カバー本体３３の外部にある。
【００４９】
上記のように、係止部３４１が固定側接触体３０４と可動側接触体３０６との間に入り込み、係止部３４１の切欠き３４２が第一端子台３Ａの端子３０の雄ねじ３０２に係止することで、係止具３４は前後方向の移動を阻止されている。そして、係止具３４の挿通部３４０が開口部３３３を挿通していることにより、端子カバー本体３３が前方へ向けて移動する力を受けたとしても、開口部３３３と挿通部３４０とが前後方向で係止することで、短絡片３１を取外した端子台３であっても、端子カバー本体３３が前方へ向けて脱落するのを防止できる。
【００５０】
端子カバー３２により端子台３が確実に覆われていれば、端子３０，３０が露出する状態を回避できるから、実作業者に対する安全が確保され、端子台３の端子３０，３０に試験装置や電圧計等を接続することができない。
【００５１】
しかも運転側操作者が、端子カバー本体３３の外部にある表示部３５において、表示部本体３５０を回動軸３８回りに起こせば、実作業者は、「操作禁止」の表示を確実に目視できることから、端子台３に対する操作を禁止するために、端子カバー本体３３を端子台３から外してはならないことを確認できる。
【００５２】
つぎに実作業者は、運転側操作者の許可を得て、図１（ｂ）に示すように、例えば、３個のうちの一方端にある端子台３から端子カバー本体３３を取り外し、端子３０，３０に試験装置や電圧計等を接続し、保護継電器２のトリップ信号の出力を確認する。
【００５３】
本発明の試験用端子台の端子カバーは、上記実施形態に限定されない。上記実施形態では、係止具３４の係止部３４１が端子３０に係止する場合を例示した。しかしながら、開口部３３３の左右幅方向の大きさや位置を変更して、係止具３４を、締結部材３０３または台座３００に係止することが考えられる。
【００５４】
上記各実施形態では、端子カバー本体３３の上面から係止具３４を挿通した場合を例示した。しかしながら、図４に示すように、開口部３３３を周壁３３１の平板状壁３３１ｂに形成し、係止具３４を、周壁３３１の平板状壁３３１ｂに形成した開口部３３３から端子カバー本体３３に挿通することもできる。この場合では、係止具３４の係止部３４１は、第二端子台３Ｂの端子３０に側方から係止する。なお、表示部３５の「操作禁止」の文字は、縦方向に表示されるように、表示部３５に施されている。
【００５５】
なお、開口部３３３の位置や大きさを変更することで、係止具３４は、端子カバー本体３３の右側面、下面のいずれからでも挿通することができ、また、係止具３４の係止部３４１を二個設けることで、第一端子台３Ａ、第二端子台３Ｂの端子３０，３０の双方に係止させることもできる。但し、開口部３３３を端子カバー本体３３の下面に形成して、係止具３４を端子カバー本体３３の下面から挿通する場合では、係止具３４の係止部３４１は、弾性的に端子３０に係止させる構成が好ましい。
【００５６】
上記各実施形態では、表示部３５は、端子カバー本体３３の開口部３３３から突出した係止具３４の端部に回動軸３８を介して起臥可能に取付けた場合を例示した。しかしながら、表示部３５は、端子カバー本体３３の開口部３３３から突出した係止具３４の挿通部３４０に着脱可能に取付けたり、端子カバー本体３３の開口部３３３から突出した係止具３４の挿通部３４０に、吊下げ可能に取付けたりする構成も考えられる。
【００５７】
あるいは表示部３５ａは、例えば、図５の実施形態に示す構成とすることもできる。すなわち、図５の場合では、表示部３５ａは、係止具３４の挿通部３４０に対し挿脱可能な凹部３５１ａを有する四角形板状の表示部本体３５０ａを備え、表示部本体３５ａは、凹部３５１ａに係止具３４の挿通部３４０を挿入して支持される。
【００５８】
また、表示部３５ｂは、例えば、図６の実施形態に示す構成とすることもできる。すなわち、図６の場合では、表示部３５ｂは、紐３５１ｂを付けた四角形板状の表示部本体３５０ｂを備え、表示部本体３５０ｂは、係止具３４の挿通部３４０に紐３５１ｂを介して吊下げられる。
【００５９】
また、表示部３５Ａは、例えば、図７の実施形態に示す構成とすることもできる。すなわち、図７の場合では、表示部３５Ａは、「操作禁止」の文字を印字した着脱自在のシール材からなる表示部本体３５０Ａを備え、表示部本体３５０Ａは、直方体形状に形成した端子カバー本体３３Ａの前壁３３０Ａの外面に貼付けられる。
【００６０】
また、表示部３５Ｂは、例えば、図７の実施形態に示す構成とすることもできる。すなわち、図７の場合では、表示部３５Ｂは、両側面に回動軸３８Ｂが突設された四角形板状の表示部本体３５０Ｂを備え、表示部本体３５０Ｂは、端子カバー本体３３Ａの上面３３１Ａに形成された開口部３３３Ａに、回動軸３８Ｂを介して起臥可能に取付けられる。
【００６１】
なお、上記各実施形態では、一対の端子３０，３０と、支持部３００と、短絡片３１とを備えた端子台３としたが、一つの端子３０と、支持部３００とを備えた端子台３としてもよい。この場合、端子カバーは、個々の端子台３に取付けられる。
【００６２】
上記実施形態では、電気盤（保護リレー盤）として送電線リレー盤を対象とする場合を例示した。しかしながら、試験用端子台を有する電気盤としては、例えば配電線保護盤、変圧器保護盤、母線保護盤、系統安定化装置（ＳＳＣ）、送電線自動復旧装置（ＡＲＥ）等を対象とすることもできる。
【符号の説明】
【００６３】
１…電気盤、１ａ…縦板、１０…保護回路、２…保護継電器、３…試験用端子台、３Ａ…第一端子台、３Ｂ…第二端子台、３０…端子、３００…支持部（台座）、３０２…雄ねじ、３０３…締結部材、３０４…固定側接触体、３０５…キャップ、３０６…可動側接触体、３１…短絡片、３１ａ…短絡片本体、３１０…摘持部、３２…端子カバー、３３，３３Ａ…端子カバー本体、３３０，３３０Ａ…前壁、３３１…周壁、３３１ａ…円弧状壁、３３１ｂ…平板状壁、３３１Ａ…上面、３３２…後面開口、３３３，３３３Ａ…開口部、３４…係止具、３４ａ…保持部、３４０…挿通部、３４１…係止部、３４１ａ…係止部本体、３４２…切欠き、３５，３５ａ，３５ｂ，３５Ａ，３５Ｂ…表示部、３５０，３５０Ａ，３５０Ｂ…表示部本体、３５１…紐、３６…支持部、３７…凹部、３８，３８Ｂ…回動軸、４…遮断器
【図１】
2019134556.tif 000003
【図２】
2019134556.tif 000004
【図３】
2019134556.tif 000005
【図４】
2019134556.tif 000006
【図５】
2019134556.tif 000007
【図６】
2019134556.tif 000008
【図７】
2019134556.tif 000009
【図８】
2019134556.tif 000010
【図９】
2019134556.tif 000011
【図１０】
2019134556.tif 000012
【図１１】
2019134556.tif 000013